(57)【要約】      （修正有）【課題】  マルチメデア時代にふさわしい複数の機能を兼ね備え、操作が簡便な多機能テレビ電話システムを提供することを目的とする。【解決手段】多機能テレビ電話システムにおいて、電話回線、光ファイバ回線、電波回線等の通信回線により外部情報源と送受信可能な送受信器、テレビ受信機、ＤＶＤレコーダ、ＦＡＸ、ビデオレコーダ、ビデオカメラ、室内各種センサ、各種医療計測器、遠隔操作用子機、プリンタ及びデータ入力手段と接続可能なインターフェース装置を備え、前記インターフェース装置は、パソコン機能、カード読み取り機能を内蔵し、送受信器が受信した外部情報源からの画像、音声データを通常の機能を有するテレビ受信機に出力するためコンバータ手段を備え、前記通信インターフェース装置は、ビデオカメラ、室内各種センサ、各種医療計測器、カード読み取り機能により得られた情報及び送受信器からの音声情報を前記通信回線により外部に送信可能とすることを特徴とする。【選択図】図１
0003119529.tif 000002
【実用新案登録請求の範囲】
【請求項１】
電話回線、光ファイバ回線、電波回線等の通信回線により外部情報源と送受信可能な送受信器、テレビ受信機、ＤＶＤレコーダ、ＦＡＸ、ビデオレコーダ、ビデオカメラ、室内各種センサ、各種医療計測器、遠隔操作用子機、プリンタ及びデータ入力手段と接続可能なインターフェース装置を備え、前記インターフェース装置は、パソコン機能、カード読み取り機能を内蔵し、送受信器が受信した外部情報源からの画像、音声データを通常の機能を有するテレビ受信機に出力するためコンバータ手段を備え、前記通信インターフェース装置は、ビデオカメラ、室内各種センサ、各種医療計測器、カード読み取り機能により得られた情報及び送受信器からの音声情報を前記通信回線により外部に送信可能とすることを特徴とする多機能テレビ電話システム。
【請求項２】
前記通信インターフェース装置は、受信した外部情報源からの画像、音声データを複数の携帯電話に転送可能な手段を備えることを特徴とする請求項１に記載の多機能テレビ電話システム。
【請求項３】
前記データ入力手段を音声入力可能とすることを特徴とする請求項１又は２に記載の多機能テレビ電話システム。
【考案の詳細な説明】
【技術分野】
【０００１】
本考案は、電話回線、高速通信回線、無線回線等の通信回線により外部情報源と接続可能な電話機能を備え、受信した外部情報源からの画像、音声データを通常の機能を有するテレビ受信機に出力可能で、さらに受信側から画像情報を含む各種データを前記通信回線を通して外部に送信可能とし、前記各種データの受信／送信を操作する入力手段を備えた多機能テレビ電話システムに関する。
【背景技術】
【０００２】
従来のテレビ電話システムは、外部情報源からの画像情報、音声情報をテレビ電話のテレビ受像器に出力し、入力手段により入力された画像情報及び音声情報を外部に送信するだけのものであった。
【特許文献１】特開平１１−４１５７６号公報
【考案の開示】
【考案が解決しようとする課題】
【０００３】
しかしながら、今日、携帯電話にも多くの機能が搭載され、さらに電波法の改正により電波での受信・発信が可能な電話機が開発され、テレビ電話にも多くの機能を搭載することが求めされている。特に、高齢者社会となっている現在、高齢者の在宅ショッピング、在宅キャッシング、介護、遠隔医療にテレビ電話を活用しようとする要求が強くなっている。
【０００４】
本考案は、上記従来技術の課題を解決するマルチメデア時代にふさわしい複数の機能を兼ね備え、操作が簡便な多機能テレビ電話システムを提供することを目的とする。
【課題を解決するための手段】
【０００５】
本第１考案は、前記課題を解決するために、多機能テレビ電話システムにおいて、電話回線、光ファイバ回線、電波回線等の通信回線により外部情報源と送受信可能な送受信器、テレビ受信機、ＤＶＤレコーダ、ＦＡＸ、ビデオレコーダ、ビデオカメラ、室内各種センサ、各種医療計測器、遠隔操作用子機、プリンタ及びデータ入力手段と接続可能なインターフェース装置を備え、前記インターフェース装置は、パソコン機能、カード読み取り機能を内蔵し、送受信器が受信した外部情報源からの画像、音声データを通常の機能を有するテレビ受信機に出力するためコンバータ手段を備え、前記通信インターフェース装置は、ビデオカメラ、室内各種センサ、各種医療計測器、カード読み取り機能により得られた情報及び送受信器からの音声情報を前記通信回線により外部に送信可能とすることを特徴とする。
【０００６】
本第２考案は、本第１考案の多機能テレビ電話システムにおいて、前記通信インターフェース装置は、受信した外部情報源からの画像、音声データを複数の携帯電話に転送可能な手段を備えることを特徴とする。
【０００７】
本第３考案は、本第１又は第２考案の多機能テレビ電話システムにおいて、前記データ入力手段が音声入力可能とすることを特徴とする。
【考案の効果】
【０００８】
本考案の構成により、電話、電波、光ファイバ等の各通信回線に対応可能な多機能テレビ電話システムを提供できる。
ビデオカメラが通常のテレビ電話機能とは別に、監視カメラや一人住まいの高齢者の介護用カメラとしての機能を果たすことができる。
室内の各種センサからの情報を外部に発信できるので、火災、盗難等の災害、犯罪に対する対応が素早くできる。
在宅でのキャッシング、ショッピングが可能であり、外出が困難な高齢者にとって便利であると共に、振り込み詐欺等の犯罪を防止できる。
受信した外部情報源からの画像、音声データを複数の携帯電話に転送可能であるので、家族で重要な外部情報を共有できる。
データ入力手段が音声入力可能とする構成により、高齢者のようにキーボード操作に不慣れな人でも簡単に操作可能である。
医療測定器からのデータを外部の医療機関に送信でき、テレビ電話による意志との直接問診も可能であるので、医療機関と離れた過疎地や外出が困難な高齢者の適格な在宅医療が可能になる。
パソコン機能、ＤＶＤ、ビデオ、ファックス、プリンタ等の機能を備えるので、メール、写メールのやりとり、オンラインゲーム、テレビ会議等が可能となる。
【考案を実施するための最良の形態】
【０００９】
本考案の実施の形態を図に基づいて説明する。図１は、本考案の多機能テレビ電話システムの概略図である。
【００１０】
図１において、１００は、ＣＰＵ１１２を内蔵した通信インターフェース装置である。
通信インターフェース装置１００には、ＣＰＵ１１２を動作するのに一時記憶場所であるＣＰＵ動作メモリ１１４と、電源を切っても消えない、書き換え可能な記憶場所であるフラッシュＲＯＭ１１３を備える。
【００１１】
テレビ電話の機能として、通信インターフェース装置１００は、外部情報源と電話回線、高速電話回線、無線回線等の通信回線により外部情報源と送受信可能な送受信器１と接続する送受信インターフェース１０１を備える。送受信器１で受信した画像、音声データは、ＣＰＵ１１２を経由し、Ｄ／Ａ変換するコンバータ１０５によりテレビ受信機５に出力される。ビデオカメラ４及びマイクによる受信側の画像、音声データは、ビデオインターフェース１０４、ＣＰＵ１１２、送受信インターフェース１０１を経て、電話回線、高速電話回線、無線回線等の通信回線により外部情報源に送信される。送受信器１は、電波の受信が可能なアンテナを備える。
【００１２】
デスペンサー機能として、通信インターフェース装置１００には、クレジットカード、プリペイドカード、キャッシュカード等のカード２を読み取るカードインターフェス１０２を備える。テレビ電話機能で、金融機関やショッピング先を呼び出し、お互いを映像で確認しながら、キャッシングやショッピングが在宅で可能であり、特に外出が困難な高齢者には便利であり、さらに振り込み詐欺等の犯罪の防止にも役立つ。
【００１３】
遠隔操作機能として、通信インターフェース装置１００には、赤外線インターフェース
１０３を備える。遠隔操作子機３により装置から離れた位置からも通信インターフェース装置１００の操作が可能となる。
【００１４】
ビデオカメラ４による画像情報は、通常のテレビ電話機能としてだけでなく、犯罪防止のための監視カメラや寝たきり老人や、一人住まいの高齢者の介護、子供の留守番時の監視の機能としても役立つ。
【００１５】
在宅医療機能として、通信インターフェース装置１００は、各種医療測定器６と接続する医療測定器インターフェース１０６を備える。テレビ電話機能による在宅患者と外部医療機関との間の画像、会話による問診を可能とし、体温計や血圧計等の各種医療測定器６からのリアルタイムでの計測データにより適格な在宅医療が可能となる。
【００１６】
災害、犯罪防止機能として、通信インターフェース装置１００は、室内各種センサ７と接続する室内各種センサインターフェース１０７を備える。室内各種センサ７としては、火災センサ、ロックセンサ、防犯センサ等である。室内各種センサ７からの情報が素早く外部に伝達されるので、災害、犯罪を未然に防止することができる。
【００１７】
通信インターフェース装置１００は、プリンタ１０，ビデオレコーダ１１、ＤＶＤレコーダ１２と接続するプリンタインターフェース１０８、ビデオレコーダインターフェース１１０、ＤＶＤレコーダインターフェース１１１を備える。
【００１８】
通信インターフェース装置１００は、入力手段である入力キーボード８又は音声入力用マイク９と接続する入力インターフェース１０９を備える。音声入力も可能であるので、キーボードの操作に不慣れな人にも容易に操作が可能となる。
【００１９】
通信インターフェース装置１００は、パソコン機能を備えるので、インターネットへの接続も可能であり、メール、写メールの送受信、ワープロ、ファックス機能も可能である。入力手段による操作により、外部からの情報を複数の家族の携帯電話に転送する機能も備える。さらに、通信インターフェース装置１００に、ナビゲーション機能を持たせることができる。
【００２０】
通信インターフェース装置１００は、双方向送受信可能であるので、複数の異なる場所とのテレビ電話会議や互いに離れた場所での電話パーティも可能となる。
【図面の簡単な説明】
【００２１】
【図１】本発明の実施形態を示す図である。
【符号の説明】
【００２２】
１：送受信器
２：各種カード
３：遠隔操作子機
４：ビデオカメラ
５：テレビ受信機
６：医療測定器
７：室内各種センサ
８：入力キーボード
９：音声入力用マイク
１０：プリンタ
１１：ビデオレコーダ
１２：ＤＶＤレコーダ
１００：通信インターフェース装置
１０１：送受信インターフェース
１０２：カードインターフェース
１０３：赤外線インターフェース
１０４：ビデオカメラインターフェース
１０５：コンバータ
１０６：医療測定器インターフェース
１０７：火災報知器インターフェース
１０８：プリンタインターフェース
１０９：入力インターフェース
１１０：ビデオレコーダインターフェース
１１１：ＤＶＤレコーダインターフェース
１１２：ＣＰＵ
１１３：フラッシュＲＯＭ
１１４：ＣＰＵ動作メモリ
【図１】
0003119529.tif 000003